(57)【要約】【課題】砂浜や冠砂又は小砂利地帯に於いて、マコンブやガゴメ等の海藻類を効率良く増養殖することができると共に、清掃が容易な海藻増養殖ブロックを提供する。【解決手段】同一面上の三方向放射状に延びる各梁部２，２…の先端下部に柱部３，３…が垂設された海藻増養殖ブロック本体１と、梁部２，２…の上面に着脱自在に固定される海藻を着生させるための着生基質４，４…と、隣接する梁部２，２…の先端間に着脱自在に張設される海藻を養殖するための養殖用ロープ６，６…とを備えた海藻増養殖ブロック１１を提供する。そして、前記放射状に延びる梁部２，２…は等角度に離間して形成され、前記柱部３，３…は円柱状に形成される。又、前記着生基質４，４…は網状体で形成され、前記養殖用ロープ６，６…にはマコンブ又はガゴメを発芽させた種苗糸片が固着されている。【選択図】図３
2008067640.tif 000002
【特許請求の範囲】
【請求項１】
同一面上の三方向放射状に延びる各梁部の先端下部に柱部が垂設された海藻増養殖ブロック本体と、
前記梁部の上面に着脱自在に固定される海藻を着生させるための着生基質と、
隣接する前記梁部の先端間に着脱自在に張設される海藻を養殖するための養殖用ロープとを備えたことを特徴とする海藻増養殖ブロック。
【請求項２】
前記放射状に延びる梁部は、等角度に離間して形成されていることを特徴とする請求項１記載の海藻増養殖ブロック。
【請求項３】
前記柱部は、円柱状に形成されていることを特徴とする請求項１又は２記載の海藻増養殖ブロック。
【請求項４】
前記着生基質は、網状体で形成されていることを特徴とする請求項１乃至３のうちいずれか一に記載の海藻増養殖ブロック。
【請求項５】
前記梁部上面から突出し、前記梁部上面に載置される着生基質を貫通するボルトと、前記ボルトに嵌装し、前記着生基質上に載置される座金と、載置された前記座金上方近傍の前記ボルトに前記ボルトの軸方向に直交して開穿されるピン孔と、前記ピン孔に差し込まれる割ピンとによって、前記着生基質は、前記梁部上面に着脱自在に固着されることを特徴とする請求項１乃至４のうちいずれか一に記載の海藻増養殖ブロック。
【請求項６】
前記梁部先端部上面から突出するボルトと、前記養殖用ロープを係止すると共に、前記ボルトに嵌装する連結用金具と、前記ボルトに嵌装し、前記連結用金具上に載置される座金と、載置された前記座金上方近傍の前記ボルトに前記ボルトの軸方向に直交して開穿されるピン孔と、前記ピン孔に差し込まれる割ピンとによって、前記養殖用ロープが前記梁部先端部上面に着脱自在に固着されることを特徴とする請求項１乃至５のうちいずれか一に記載の海藻増養殖ブロック。
【請求項７】
前記養殖用ロープは、マコンブ又はガゴメを発芽させた種苗糸片が固着されていることを特徴とする請求項１乃至６のうちいずれか一に記載の海藻増養殖ブロック。
【発明の詳細な説明】
【技術分野】
【０００１】
本発明は、砂浜や冠砂又は小砂利地帯に於いて、マコンブやガゴメ等の海藻類を効率良く増養殖することができる海藻増養殖ブロックに関する。
【背景技術】
【０００２】
これまであまり利用されることがなかったガゴメに含まれるフコイダンと呼ばれる多糖類が、ガン細胞の死滅、抑制などに効果があることからガゴメが近年脚光を浴びている。然しながらガゴメ資源は約１０年前の１０分の１にまで減少しており、資源の増大が求められている。
【０００３】
これらの資源の増大を図るためには、海藻の生育しない砂浜や冠砂又は小砂利地帯の開発が必要である。
中でも水深が概ね１０ｍ以浅の砂浜域砕波地帯は、マコンブやガゴメの増養殖場として、開発の可能性が高い場所であり、既に、一部、冠砂や小砂利地帯では、マコンブを対象に事業が行なわれている。
一方、砂の層の厚い砂浜地帯は、ブロックが埋没すること、又、波力が極めて強いことなどの技術的課題が大きいことから開発が遅れている現状にある。
【０００４】
尚、本発明に関連する公知技術文献としては例えば下記の特許文献１がある。
特許文献１は、ブロック本体の表面に大きな稜角部を有する溝状凹部を形成すると共に、この溝状凹部に隣接して比較的小さい溝を１乃至複数設け、前記溝状凹部に増殖材を配設した沈設ブロックに於ける有用海藻類の増殖構造を提供するものである。
【特許文献１】特開平８−２１４７２５号公報
【発明の開示】
【発明が解決しようとする課題】
【０００５】
そこで、前述した現状を改善すべく、ガゴメの増殖手法を確立すること、又、砂層厚の厚い場所にも対応するマコンブ及びガゴメの増殖施設の開発を図ること、更には、海藻が着生する基質は経年的に他の雑海藻に覆われその効果を失うことから、掃除が出来るよう、土台となるブロックから簡便に着脱が可能で、マコンブやガゴメの着生に最適な形状を持つ基質と着脱機構の開発が望まれている。尚、特許文献１は、これらの要望に答えるものではない。
【０００６】
以上の現状に鑑み、本発明は、砂浜や冠砂又は小砂利地帯に於いて、マコンブやガゴメ等の海藻類を効率良く増養殖することができると共に、清掃が容易な海藻増養殖ブロックを提供することを目的とする。
【課題を解決するための手段】
【０００７】
上記の課題を解決すべく、本発明は以下の構成を提供する。
請求項１に係る発明は、同一面上の三方向放射状に延びる各梁部の先端下部に柱部が垂設された海藻増養殖ブロック本体と、
前記梁部の上面に着脱自在に固定される海藻を着生させるための着生基質と、
隣接する前記梁部の先端間に着脱自在に張設される海藻を養殖するための養殖用ロープとを備えたことを特徴とする海藻増養殖ブロックを提供するものである。
【０００８】
請求項２に係る発明は、前記放射状に延びる梁部は、等角度に離間して形成されていることを特徴とする請求項１記載の海藻増養殖ブロックを提供するものである。
【０００９】
請求項３に係る発明は、前記柱部は、円柱状に形成されていることを特徴とする請求項１又は２記載の海藻増養殖ブロックを提供するものである。
【００１０】
請求項４に係る発明は、前記着生基質は、網状体で形成されていることを特徴とする請求項１乃至３のうちいずれか一に記載の海藻増養殖ブロックを提供するものである。
【００１１】
請求項５に係る発明は、前記梁部上面から突出し、前記梁部上面に載置される着生基質を貫通するボルトと、前記ボルトに嵌装し、前記着生基質上に載置される座金と、載置された前記座金上方近傍の前記ボルトに前記ボルトの軸方向に直交して開穿されるピン孔と、前記ピン孔に差し込まれる割ピンとによって、前記着生基質は、前記梁部上面に着脱自在に固着されることを特徴とする請求項１乃至４のうちいずれか一に記載の海藻増養殖ブロックを提供するものである。
【００１２】
請求項６に係る発明は、前記梁部先端部上面から突出するボルトと、前記養殖用ロープを係止すると共に、前記ボルトに嵌装する連結用金具と、前記ボルトに嵌装し、前記連結用金具上に載置される座金と、載置された前記座金上方近傍の前記ボルトに前記ボルトの軸方向に直交して開穿されるピン孔と、前記ピン孔に差し込まれる割ピンとによって、前記養殖用ロープが前記梁部先端部上面に着脱自在に固着されることを特徴とする請求項１乃至５のうちいずれか一に記載の海藻増養殖ブロックを提供するものである。
【００１３】
請求項７に係る発明は、前記養殖用ロープは、マコンブ又はガゴメを発芽させた種苗糸片が固着されていることを特徴とする請求項１乃至６のうちいずれか一に記載の海藻増養殖ブロックを提供するものである。
【発明の効果】
【００１４】
本発明の請求項１記載の発明によれば、同一面上の三方向放射状に延びる各梁部の先端下部に柱部が垂設された海藻増養殖ブロック本体と、
前記梁部の上面に着脱自在に固定される海藻を着生させるための着生基質と、
隣接する前記梁部の先端間に着脱自在に張設される海藻を養殖するための養殖用ロープとを備えた海藻増養殖ブロックを提供するので、前記柱部によって、前記梁部は比較的高い位置に保持され、砂浜や冠砂又は小砂利地帯に於いて、梁部が砂浜や冠砂又は小砂利に埋没する虞がないため、マコンブやガゴメ等の海藻類を効率良く増養殖することができる海藻増養殖ブロックを提供することができる。又、着生基質が梁部の上面に固定されるので、海藻の着生効率がよく、更に、養殖用ロープによって海藻を養殖することが可能であり、海藻類を極めて効率良く増養殖できる。そして、着生基質及び養殖用ロープの着脱が容易であるので、着生基質及び養殖用ロープの清掃や交換が容易である。
【００１５】
請求項２記載の発明によれば、前記放射状に延びる梁部は、等角度に離間して形成されているので、請求項１記載の発明の効果に加え、海藻増養殖ブロックの設置上の安定性を高めることができると共に、海藻の着生、増養殖の効率を高めることができる。
【００１６】
請求項３記載の発明によれば、前記柱部は、円柱状に形成されているので、請求項１又は２記載の発明の効果に加え、波力や、潮流の抵抗を低減できる。
【００１７】
請求項４記載の発明によれば、前記着生基質は、網状体で形成されているので、請求項１乃至３のうちいずれか一に記載の発明の効果に加え、表面積が多いことにより海藻類が着生しやすく、且つ、海藻類の根の成長を促進させることができる。
【００１８】
請求項５記載の発明によれば、前記梁部上面から突出し、前記梁部上面に載置される着生基質を貫通するボルトと、前記ボルトに嵌装し、前記着生基質上に載置される座金と、載置された前記座金上方近傍の前記ボルトに前記ボルトの軸方向に直交して開穿されるピン孔と、前記ピン孔に差し込まれる割ピンとによって、前記着生基質は、前記梁部上面に着脱自在に固着されるので、請求項１乃至４のうちいずれか一に記載の発明の効果に加え、着生基質の着脱が極めて容易である。
【００１９】
請求項６記載の発明によれば、前記梁部先端部上面から突出するボルトと、前記養殖用ロープを係止すると共に、前記ボルトに嵌装する連結用金具と、前記ボルトに嵌装し、前記連結用金具上に載置される座金と、載置された前記座金上方近傍の前記ボルトに前記ボルトの軸方向に直交して開穿されるピン孔と、前記ピン孔に差し込まれる割ピンとによって、前記養殖用ロープが前記梁部先端部上面に着脱自在に固着されるので、請求項１乃至５のうちいずれか一に記載の発明の効果に加え、養殖用ロープの着脱が極めて容易である。
【００２０】
請求項７記載の発明によれば、前記養殖用ロープは、マコンブ又はガゴメを発芽させた種苗糸片が固着されているので、請求項１乃至６のうちいずれか一に記載の発明の効果に加え、種苗糸片で発芽したマコンブ又はガゴメを養殖用ロープによって効率良く養殖することができる。
【発明を実施するための最良の形態】
【００２１】
以下、実施例を示した図面を参照しつつ本発明の実施の形態を説明する。
図１及び図２に於いて、１は、本発明の海藻増養殖ブロック本体であり、海藻増養殖ブロック本体１は、同一面上の三方向に等角度（約１２０度）に離間して放射状に延びる梁部２，２…と、夫々の梁部２，２…の先端下部から垂設される円柱状の柱部３，３…とが一体に成形されたコンクリートブロック体である。
【００２２】
更に、前記梁部２，２…の基端部近傍と先端部近傍の上面には、二点鎖線で示す着生基質４，４…の両端部を固定するためのボルト５，５…が植設されて突出しており、又、二点鎖線で示す養殖用ロープ６，６…を固定するためのボルト７，７…が各梁部２の先端部近傍の両側面近傍に夫々１本づつ植設されて突出しており、ボルト５，７には、夫々、後述する割りピンを差し込むためのピン孔８、９が夫々ボルト５，７の軸方向に直交して開穿されている。ピン孔８、９は、後述する載置された状態の座金の上方近傍位置に開穿される。
【００２３】
尚、前記ボルト５，７は、例えば、六角ボルトを倒立状態に植設したもの、或いは、頭部がなく全体がネジになっている長ネジボルトを植設したものである。
又、前記ボルト５，７は、海藻増養殖ブロック本体１の成形時に植設されても良く、海藻増養殖ブロック本体１の成形後に植設されても良い。
【００２４】
図３に於いて、１１は、本発明の海藻増養殖ブロックであり、海藻増養殖ブロック１１は、各梁部２，２…の上面に海藻を着生させるための着生基質４，４…が着脱自在に固着され、各梁部２の先端部から隣接する梁部２の先端部間に養殖用ロープ６，６…が着脱自在に張設されている。即ち、海藻増養殖ブロック１１には、梁部２，２…の上面に合計３個の着生基質４，４…が着脱自在に固着され、梁部２，２…の先端部間に合計３本の養殖用ロープ６，６…が着脱自在に張設されている。
【００２５】
前記着生基質４は、平面視矩形状の所定厚みを有する、例えば、プラスチック製の網状体に形成され、その両端部に前記ボルト５，５を貫通させるためのボルト孔１２，１２が開穿されている。
【００２６】
一方、養殖用ロープ６には、養殖用ロープ６の略全長に及んでマコンブ又はガゴメを発芽させた図示しない種苗糸片が挟持されて固着されている。
種苗糸片は、例えば、水槽にマコンブ又はガゴメの母藻を入れ、母藻から排出されて水中に浮遊する海藻の種を種苗糸に付着させて発芽させ、この種苗糸を短い長さに切断したものである。
【００２７】
図４は、前記着生基質４を海藻増養殖ブロック本体１の梁部２上面に着脱自在に固定する方法を示している。
同図（ａ）に示す如く、海藻増養殖ブロック本体１の梁部２上面に突設したボルト５にボルト孔１２を嵌装して、着生基質４を海藻増養殖ブロック本体１の梁部２上面に載置し、同図（ｂ）及び同図（ｃ）に示す如く、ボルト５に座金１３の孔１３ａを嵌装して、座金１３を着生基質４上に載置し、載置された座金１３の上方近傍のボルト５に開穿されたピン孔８に割りピン１４を挿入する。
割りピン１４によって、座金１３及び着生基質４のボルト５からの抜けが防止される。
着生基質４を取外す場合は、前述と逆の操作を行なえばよい。
【００２８】
同様にして、着生基質４の他端部も海藻増養殖ブロック本体１の梁部２上面に着脱自在に固定される。
更に、他の２個の着生基質４，４も同様に海藻増養殖ブロック本体１の梁部２上面に着脱自在に固定される。
【００２９】
図５は、前記養殖用ロープ６を海藻増養殖ブロック本体１の梁部２の先端部に着脱自在に取付ける方法を示している。
同図に於いて、２１は、養殖用ロープ６を張設するために用いられる連結用金具であり、連結用金具２１は、一端にボルト７に連結するためのボルト連結部２２を備え、他端に養殖用ロープ６を連結するためのロープ連結部２３を備えている。
【００３０】
ボルト連結部２２には、ボルト７が貫通自在の孔２２ａが開穿され、ロープ連結部２３には、養殖用ロープ６を通して結着するための孔２３ａが形成されている。
又、同図に於いて、２４は、座金であり、座金２４には、ボルト７が貫通自在の孔２４ａが形成されている。
【００３１】
而して、連結用金具２１のボルト連結部２２の孔２２ａをボルト７に嵌装させて、連結用金具２１を海藻増養殖ブロック本体１の梁部２の先端部に載置すると共に、ロープ連結部２３の孔２３ａに養殖用ロープ６を通し、ロープ連結部２３に養殖用ロープ６の一端部を連結する。
次に、同図（ｂ）及び同図（ｃ）に示す如く、ボルト７に座金２４の孔２４ａを嵌装して、座金２４を連結用金具２１上に載置し、座金２４の上方近傍に於いてボルト７に開穿されたピン孔９に割りピン２５を挿入する。
割りピン２５によって、座金２４及び連結用金具２１のボルト７からの抜けが防止される。
養殖用ロープ６を取外す場合は、前述と逆の操作を行なえばよい。
【００３２】
同様にして、養殖用ロープ６の他端部も隣接する海藻増養殖ブロック本体１の梁部２先端部のボルト７に連結され、養殖用ロープ６は、２つのボルト７，７間に着脱自在に張設される。
更に、他の２本の養殖用ロープ６も同様に着脱自在に張設される。
【図面の簡単な説明】
【００３３】
【図１】本発明による海藻増養殖ブロック本体の平面図である。
【図２】本発明による海藻増養殖ブロック本体の正面図である。
【図３】本発明による海藻増養殖ブロックの平面図である。
【図４】（ａ）〜（ｃ）本発明による海藻増養殖ブロック本体に着生基質を取付ける方法を説明する説明図である。
【図５】（ａ）〜（ｃ）本発明による海藻増養殖ブロック本体に養殖用ロープを取付ける方法を説明する説明図である。
【符号の説明】
【００３４】
１  海藻増養殖ブロック本体
２  梁部
３  柱部
４  着生基質
５，７  ボルト
６  養殖用ロープ
８，９  ピン孔
１１  海藻増養殖ブロック
１３，２４  座金
１４，２５  割りピン
２１  連結用金具
【図１】
2008067640.tif 000003
【図２】
2008067640.tif 000004
【図３】
2008067640.tif 000005
【図４】
2008067640.tif 000006
【図５】
2008067640.tif 000007